(57)【要約】【課題】  地図データを記憶させる手間が不要であり、かつ、より安心して使用することが可能なナビゲーション機器を構成することができるカード型ＧＰＳ受信機を提供する。【解決手段】  本発明に係るカード型ＧＰＳ受信機１は、位置情報を表示する表示部１６を具備した携帯情報端末機２と一体化して使用されるものであって、ＧＰＳ信号及び地図データを演算処理して得られる前記位置情報を前記携帯情報端末機２に出力する制御手段７と、前記地図データを記憶した可搬型メモリ１０が着脱自在に装着されるメモリスロット１１とを具備している。なお、カード型ＧＰＳ受信機１は単独で使用されるものであってもよく、このようなカード型ＧＰＳ受信機１である場合には、ＧＰＳ信号及び地図データを演算処理して得られた位置情報を表示する表示部２５を具備している。【選択図】  図１
2005069862.tif 000002
【特許請求の範囲】
【請求項１】
位置情報を表示する表示部を具備した携帯情報端末機と一体化して使用されるカード型ＧＰＳ受信機であって、
ＧＰＳ信号及び地図データを演算処理して得られた前記位置情報を前記携帯情報端末機に出力する制御手段と、前記地図データを記憶した可搬型メモリが着脱自在に装着されるメモリスロットとを具備していることを特徴とするカード型ＧＰＳ受信機。
【請求項２】
単独で使用されるカード型ＧＰＳ受信機であって、
ＧＰＳ信号及び地図データを演算処理して位置情報を得る制御手段と、前記位置情報を表示する表示部と、前記地図データを記憶した可搬型メモリが着脱自在に装着されるメモリスロットとを具備していることを特徴とするカード型ＧＰＳ受信機。
【請求項３】
ＧＰＳ信号の演算処理が不要な時は、可搬型メモリとの間での直接的なアクセスが可能な構成とされていることを特徴とする請求項１または請求項２に記載のカード型ＧＰＳ受信機。
【発明の詳細な説明】
【技術分野】
【０００１】
本発明は、カード型ＧＰＳ（Ｇｒｏｂａｌ  Ｐｏｓｉｔｉｏｎｉｎｇ  Ｓｙｓｔｅｍ）受信機に係り、特には、その構造に関するものである。
【背景技術】
【０００２】
近年にあっては、地球の上空を周回する複数の人工衛星（ＧＰＳ衛星）から送信されてくるＧＰＳ信号を受信して現在位置を知るのにＧＰＳ受信機が使用されており、これらのＧＰＳ受信機のうちには、パーソナルコンピュータや携帯情報端末機（ＰＤＡ）と一体化して使用されるカード型ＧＰＳ受信機がある。このようなカード型ＧＰＳ受信機の一例としては特許文献１で開示されたものがあり、図４で回路構成を簡略化して示すように、このカード型ＧＰＳ受信機５１は、ＧＰＳ信号を受信するＧＰＳアンテナ５２と、受信回路や増幅回路等からなる高周波回路部５３と、ＧＰＳ信号を演算処理してＧＰＳ情報を算出するＣＰＵ５４とを内蔵している。
【０００３】
そして、制御手段であるＣＰＵ５４には、演算処理結果であるＧＰＳ情報を記憶するためのＲＡＭからなる内部メモリ５５や、制御用プログラムを記憶したＲＯＭ５６が接続されている。また、カード型ＧＰＳ受信機５１は、ＰＣカード型の実体形状を有し、かつ、受信機本体から延出して設けられたインターフェイス５７を具備しており、このインターフェイス５７はＰＤＡ６１のインターフェイススロット６２に着脱自在で装着されることになっている。なお、このカード型ＧＰＳ受信機５１には、必要に応じて電源用等の電池（図示省略）も内蔵されている。
【０００４】
一方、ＰＤＡ６１には、カード型ＧＰＳ受信機５１のインターフェイス５７を装着するためのインターフェイススロット６２が設けられており、インターフェイス５７がインターフェイススロット６２に装着されたのに伴ってカード型ＧＰＳ受信機５１とＰＤＡ６１とは、信号の授受が可能な状態として一体的に接続される。そして、このＰＤＡ６１は、ナビゲーション時に必要となる地図データ等のような各種の情報を記憶するためのＲＡＭからなる内部メモリ６３と、内部メモリ６３に記憶された情報、例えば、地図データとカード型ＧＰＳ受信機５１から出力されてくるＧＰＳ情報とを演算処理して現時点での位置情報を得るための制御手段であるＣＰＵ６４とを内蔵している。
【０００５】
さらに、ＰＤＡ６１は液晶ディスプレイ等からなる表示部６５を具備しており、ＣＰＵ６４による演算処理結果である位置情報等のような各種の情報は、ＰＤＡ６１の表示部６５上で表示される。そのため、ＰＤＡ６１と一体化されたカード型ＧＰＳ受信機５１をユーザーが保持していれば、自己の現在位置を容易に把握することが可能となり、自己の行き先等に対応して必要となる位置情報をリアルタイムで得ることができる。
【特許文献１】特開２０００−１６２３０１号公報
【発明の開示】
【発明が解決しようとする課題】
【０００６】
ところで、前記した従来例に係るカード型ＧＰＳ受信機５１には、ユーザーの使用可能なメモリが内蔵されていないのが通常である。そこで、このカード型ＧＰＳ受信機５１をナビゲーション用として使用する場合には、カード型ＧＰＳ受信機５１が装着して一体化されるＰＤＡ６１の内部メモリ６３に予め地図データを記憶させておき、かつ、カード型ＧＰＳ受信機５１から出力されてくるＧＰＳ情報と、内部メモリ６３に記憶済みの地図データとをＣＰＵ６４でもって演算処理することが必要となる。
【０００７】
しかしながら、ＰＤＡ６１に内蔵された内部メモリ６３の記憶容量がさほど大容量でない場合もあり、内部メモリ６３の記憶容量が少ない場合には、記憶可能な地図データのデータ量が制限されてしまう。そのため、ナビゲーション時に必要となる地図データの全てを記憶しておくことはできず、十分なナビゲーションを実現することができなくなってしまう。
【０００８】
また、ＰＤＡ６１の内部メモリ６３が地図データを記憶するのに十分な記憶容量を有している場合であっても、このＰＤＡ６１に内蔵されたバックアップ電池が消耗してしまうと、内部メモリ６３に記憶済みの地図データが消失してしまうことが避けられない。そのため、従来例に係るカード型ＧＰＳ受信機５１とＰＤＡ６１とを一体的に組み合わせてなるナビゲーション機器を、ユーザーが長時間にわたって安心して利用することはでき得ないのが実情であった。
【０００９】
本発明はこれらの不都合に鑑みて創案されたものであり、ＰＤＡの内部メモリに対して地図データを記憶させる手間が不要であり、長時間にわたってより安心して使用することが可能なナビゲーション機器を構成することができるカード型ＧＰＳ受信機の提供を目的としている。
【課題を解決するための手段】
【００１０】
請求項１に記載のカード型ＧＰＳ受信機は、位置情報を表示する表示部を具備した携帯情報端末機（ＰＤＡ）と一体化して使用されるものであり、ＧＰＳ信号及び地図データを演算処理して得られる前記位置情報を前記ＰＤＡに出力する制御手段と、前記地図データを記憶した可搬型メモリが着脱自在に装着されるメモリスロットとを具備していることを特徴とする。
【００１１】
請求項２に記載のカード型ＧＰＳ受信機は単独で使用されるものであり、ＧＰＳ信号及び地図データを演算処理して位置情報を得る制御手段と、前記位置情報を表示する表示部と、前記地図データを記憶した可搬型メモリが着脱自在に装着されるメモリスロットとを具備していることを特徴とする。
【００１２】
請求項３に記載のカード型ＧＰＳ受信機は、請求項１または請求項２に記載したものであり、ＧＰＳ信号の演算処理が不要な時は、可搬型メモリとの間での直接的なアクセスが可能な構成とされていることを特徴とする。
【発明の効果】
【００１３】
請求項１記載の本発明に係るカード型ＧＰＳ受信機では、地図データを記憶した可搬型メモリが装着されており、ＧＰＳ信号及び地図データを演算処理して得られた位置情報がＰＤＡへと出力される。そこで、カード型ＧＰＳ受信機と一体化されるＰＤＡの内部メモリに対して地図データを予め記憶させておく必要はなくなり、この内部メモリの記憶容量が少ない場合であっても何らの不都合を生じない。
【００１４】
すなわち、外付けタイプの地図データ記憶専用である可搬型メモリに対しては、ナビゲーション時に必要となる地図データの全てを事前に記憶させておくことが可能であり、その結果、長時間にわたることがあったとしても、ユーザーはナビゲーション機器を安心して利用することができるという効果が得られる。また、この構成であれば、ＰＤＡの内部メモリに地図データを記憶させる必要がないので、ＰＤＡに内蔵された電池の消耗に起因して地図データが消失するといった恐れもなくなる。
【００１５】
請求項２記載の本発明に係るカード型ＧＰＳ受信機には、位置情報を表示する表示部が設けられている。従って、携帯情報端末機と一体化されていないカード型ＧＰＳ受信機であったとしても、これを保持さえしていれば、ユーザーが自己の現在位置を容易に把握することが可能となり、自己の行き先等に対応した位置情報を即座に得ることができるという効果が得られる。
【００１６】
請求項３記載の本発明に係るカード型ＧＰＳ受信機であれば、これによるナビゲーションの軌跡、つまり、位置情報や時刻情報等を記憶しておき、ＧＰＳ信号の演算処理が不要となった際の可搬型メモリに対し、記憶していた情報を移し替えることが可能となる。その結果、可搬型メモリを提出するだけのことにより、例えば、一日を費やした配送時の運行記録等を即座に報告することが可能となり、運行管理が容易になるといったような利点が確保される。
【発明を実施するための最良の形態】
【００１７】
ＰＤＡの具備する内部メモリに地図データを記憶させることを行わないため、その記憶容量を考慮する必要がなくなり、また、ＰＤＡにおける電池の消耗に伴う地図データの消失も起こり得ないカード型ＧＰＳ受信機を、全体構成の複雑化を招くことなく、少ない部品点数でもって構成した。
【実施例】
【００１８】
図１は本発明の実施例に係るカード型ＧＰＳ受信機の実体構造を簡略化して示す分解斜視図、図２はその組立斜視図であり、図３は実施例に係るカード型ＧＰＳ受信機の回路構成を簡略化して示すブロック図である。なお、これらの図１〜３における符号１はカード型ＧＰＳ受信機、２１は携帯情報端末機（ＰＤＡ）をそれぞれ示している。
【００１９】
本実施例に係るカード型ＧＰＳ受信機１は、図１及び図２で実体構造を示し、かつ、図３で回路構成を示すようなものであり、ＰＤＡ２１と一体的に接続されたうえ、これらを保持したユーザーが自己の現在位置を常に把握する必要があるナビゲーション時に使用される。このカード型ＧＰＳ受信機１は、受信機本体３及びインターフェイス４から構成されており、ＰＣカード型の実体形状を有するインターフェイス４は受信機本体３の一側面から延出されている。
【００２０】
受信機本体３には、ＧＰＳ信号を受信するためのＧＰＳアンテナ５と、受信回路や増幅回路等からなる高周波回路部６と、ＧＰＳ信号及び地図データを演算処理して得られる位置情報をＰＤＡ２１に出力するための制御手段であるＣＰＵ７とが内蔵されている。そして、ＣＰＵ７には、演算処理結果である位置情報等を記憶するためのＲＡＭからなる内部メモリ８と、制御用プログラムを記憶したＲＯＭ９とが接続されている。また、この受信機本体３の他の一側面には、地図データを記憶した可搬型メモリであるＳＤメモリカード１０を着脱自在に差し込んで装着するためのメモリスロット１１が設けられており、メモリスロット１１に装着されたＳＤメモリカード１０もＣＰＵ７によって動作制御される。      
【００２１】
ところで、この際におけるＳＤメモリカード１０は、読み出し可能な地図データを予め記憶して構成されたものであり、ＣＰＵ７で動作制御されることによって地図データを読み出すことが可能であるとともに、ＣＰＵ７で動作制御されるのに伴って新たな情報を書き込むことも可能とされている。なお、本実施例に係るカード型ＧＰＳ受信機１の具備する可搬型メモリがＳＤメモリカード１０のみに限定されず、例えば、メモリスティックやスマートメディアであってもよいことは勿論である。さらに、受信機本体３には、電源用やバックアップ用の電池（図示省略）が必要に応じて内蔵されている。
【００２２】
一方、ＰＤＡ２１には、カード型ＧＰＳ受信機１のインターフェイス４を装着するためのインターフェイススロット２２が設けられており、インターフェイス４がインターフェイススロット２２に差し込んで装着されたのに伴ってカード型ＧＰＳ受信機１とＰＤＡ２１とは、信号の授受が可能な状態として一体的に接続される。このＰＤＡ２１は、従来例の場合と同様、ＲＡＭからなる内部メモリ２３と、内部メモリ２３に記憶された各種の情報を演算処理するための制御手段であるＣＰＵ２４と、液晶ディスプレイ等からなる表示部２５とを具備している。なお、ここでの内部メモリ２３には、必要に応じて各種の情報が記憶される。
【００２３】
すなわち、本実施例に係るカード型ＧＰＳ受信機１、つまり、ＰＤＡ２１と一体化して使用されるカード型ＧＰＳ受信機１では、次のような手順に従ったナビゲーションが実行される。まず最初に、カード型ＧＰＳ受信機１のインターフェイス４がＰＤＡ２１のインターフェイススロット２２に差し込んで装着されるとともに、カード型ＧＰＳ受信機１のメモリスロット１１に対してはＳＤメモリカード１０が差し込んで装着される。
【００２４】
そして、カード型ＧＰＳ受信機１の受信機能を起動すると、ＧＰＳ衛星から送信されてくるＧＰＳ信号がＧＰＳアンテナ５で受信される。このＧＰＳ信号には、ＧＰＳ衛星の軌道情報、時刻情報、緯度や経度の位置情報等が含まれている。そこで、カード型ＧＰＳ受信機１のＣＰＵ７は、ＧＰＳ信号を演算処理してＧＰＳ情報を算出するとともに、ＧＰＳ信号に対応した地図データを可搬型メモリであるＳＤメモリカード１０から読み出したうえでＧＰＳ信号と地図データとの演算処理によって現時点における位置情報を算出する。      
【００２５】
さらに、カード型ＧＰＳ受信機１のＣＰＵ７によって算出された位置情報は、インターフェイス４及びインターフェイススロット２２を介してＰＤＡ２１へと出力されることになり、このＰＤＡ２１の表示部２５では、カード型ＧＰＳ受信機１から入力してきた現時点の位置情報が表示される。従って、ＰＤＡ２１と一体化されたカード型ＧＰＳ受信機１を保持しているユーザーは、自己の現在位置を容易に把握することができ、自己の行き先等に対応して必要となる位置情報をリアルタイムで得ることが可能になる。
【００２６】
一方、このカード型ＧＰＳ受信機１においては、ＣＰＵ７により算出された演算処理結果であるＧＰＳ情報及び位置情報が、ＲＡＭからなる内部メモリ８でも記憶されることになっており、受信機能が起動されていない時、つまり、ＧＰＳ信号の演算処理が不要な時のカード型ＧＰＳ受信機１は、可搬型メモリであるＳＤメモリカード１０との間での直接的なアクセスが可能な構成とされている。そこで、ＧＰＳ信号の演算処理が不要である時には、内部メモリ８で記憶されたＧＰＳ情報及び位置情報をＣＰＵ７の動作制御に従ってＳＤメモリカード１０へと移し替えることが可能になる。
【００２７】
すなわち、この際においては、ナビゲーションの軌跡、つまり、位置情報や時刻情報等を内部メモリ８でもって記憶しておいたうえ、ＧＰＳ信号の演算処理が不要となった際のＳＤメモリカード１０に対し、内部メモリ８が記憶している各種の情報を移し替えることが行われる。そのため、例えば、時刻情報等をも含むＧＰＳ情報及び位置情報が記憶されたＳＤメモリカード１０を管理部門に提出するようにすれば、例えば、一日を費やした配送時の運行記録等を即座に報告できることになる。
【００２８】
ところで、本実施例に係るカード型ＧＰＳ受信機１は、位置情報を表示する表示部２５を具備したＰＤＡ２１と一体化して使用されることになっているが、このようなものに限定されず、単独で使用されるカード型ＧＰＳ受信機であってもよい。そして、このような場合におけるカード型ＧＰＳ受信機は、図示省略しているが、自らが位置情報を表示する表示部、例えば、液晶ディスプレイ等からなる表示部を具備したものとされており、この表示部では、ＧＰＳ信号と地図データとを演算処理してＣＰＵが算出した現時点での位置情報が表示される。
【図面の簡単な説明】
【００２９】
【図１】実施例に係るカード型ＧＰＳ受信機の実体構造を簡略化して示す分解斜視図である。
【図２】実施例に係るカード型ＧＰＳ受信機の実体構造を簡略化して示す組立斜視図である。
【図３】実施例に係るカード型ＧＰＳ受信機の回路構成を簡略化して示すブロック図である。
【図４】従来例に係るカード型ＧＰＳ受信機の回路構成を簡略化して示すブロック図である。
【符号の説明】
【００３０】
１    カード型ＧＰＳ受信機
２    ＰＤＡ（携帯情報端末機）
７    ＣＰＵ（制御手段）
１０    ＳＤメモリカード（可搬型メモリ）
１１    メモリスロット
１６    ＰＤＡの表示部
１７    ＧＰＳ受信機の表示部
２５    表示部
【図１】
2005069862.tif 000003
【図２】
2005069862.tif 000004
【図３】
2005069862.tif 000005
【図４】
2005069862.tif 000006